(57)【要約】      （修正有）【課題】あらゆる産業界の完成品または半製品に対する研磨またはバリ取りを行うのに都合の良いアルミナ繊維からなるブラシ毛素材または、前記アルミナ繊維からなる研磨素材を基にした研磨工具を提供する。【解決手段】本発明のブラシ毛素材１１は、アルミナ繊維からなるブラシ毛１１１に研磨砥粒１３１、ダイヤモンド砥粒１１２、金属砥粒１２２の中の少なくとも１種類を混入させ、たとえば、数本から数千本束ね、バインダーによって固められている。また、アルミナ繊維、合成樹脂部材または金属部材からなる研磨素材にマイナスイオンを発生する鉱物と、研磨砥粒、金属砥粒、ダイヤモンド砥粒の少なくとも１種類とが混入されている。【選択図】図１
2005199363.tif 000002
【特許請求の範囲】
【請求項１】
研磨砥粒、ダイヤモンド砥粒、金属砥粒の中の少なくとも１種類が混入されているアルミナ繊維からなるブラシ毛を束ねて構成されていることを特徴とするブラシ毛素材。
【請求項２】
マイナスイオンを発生する部材からなる砥粒と、研磨砥粒、ダイヤモンド砥粒、金属砥粒の中の少なくとも１種類とが混入されているアルミナ繊維からなるブラシ毛を束ねて構成されていることを特徴とするブラシ毛素材。
【請求項３】
前記アルミナ繊維からなるブラシ毛の先端部には、マイナスイオンを発生する部材からなる砥粒、研磨砥粒、ダイヤモンド砥粒、金属砥粒の中の少なくとも１種類が混入されている球状、テーパー状、先割れ状、三角形状、四角形状、六角形状、八角形状、楕円形状等の１つが成形されていることを特徴とする請求項１または請求項２に記載されたブラシ毛素材。
【請求項４】
前記アルミナ繊維からなるブラシ毛の断面は、円形状、楕円形状、十字状、クローバ状、三角形状、四角形状、六角形状、八角形状、多角形状等の１つからなることを特徴とする請求項１ないし請求項３のいずれか１項に記載されたブラシ毛素材。
【請求項５】
前記アルミナ繊維からなるブラシ毛は、マイナスイオンを発生する部材からなる砥粒、研磨砥粒、ダイヤモンド砥粒、金属砥粒の中の少なくとも１種類が混入されており、これらの中の同種または異種の少なくとも２本により編まれて１本を構成していることを特徴とする請求項１ないし請求項４のいずれか１項に記載されたブラシ毛素材。
【請求項６】
前記アルミナ繊維からなるブラシ毛は、マイナスイオンを発生する部材からなる砥粒、研磨砥粒、ダイヤモンド砥粒、金属砥粒の中の少なくとも１種類が混入されており、これらの同種または異種の少なくとも２本により編まれて１本を構成し、前記編まれたブラシ毛を複数本束ねたことを特徴とする請求項１ないし請求項５のいずれか１項に記載されたブラシ毛素材。
【請求項７】
前記アルミナ繊維からなるブラシ毛には、合成樹脂部材、金属部材、動物繊維または植物繊維からなるブラシ毛の少なくとも１種類が混毛されていることを特徴とする請求項１ないし請求項６のいずれか１項に記載されたブラシ毛素材。
【請求項８】
前記アルミナ繊維からなるブラシ毛は、複数本がバインダーによって固められていることを特徴とする請求項１ないし請求項７のいずれか１項に記載されたブラシ毛素材。
【請求項９】
前記研磨砥粒、金属砥粒、ダイヤモンド砥粒、およびマイナスイオンを発生する部材からなる砥粒の中に静電気防止剤が混入されていることを特徴とする請求項１ないし請求項８のいずれか１項に記載されたブラシ毛素材
【請求項１０】
請求項１ないし請求項９のいずれか１項に記載されたアルミナ繊維からなるブラシ毛素材を用いてチャネル型、植え込み型、ロール型、コイル型、カップ型、ねじり型、筒型、傘型、ホイール型、ディスク型の１つに成形されていることを特徴とする研磨ブラシ。
【請求項１１】
請求項１ないし請求項１０のいずれか１項に記載されたアルミナ繊維からなるブラシ毛素材をバインダーによって固めることにより、板状、フィルム状、シート状、ディスク状、パイプ状の１つに成形されていることを特徴とする研磨ブラシ。
【発明の詳細な説明】
【技術分野】
【０００１】
本発明は、航空機、自動車、車両、電機、電子等、あらゆる産業界の完成品または半製品に対する研磨またはバリ取りを行うのに都合の良いアルミナ繊維からなるブラシ毛素材または、前記アルミナ繊維からなるブラシ毛素材を基にした研磨ブラシに関するものである。
【０００２】
本発明は、特に、アルミナ繊維からなるブラシ毛素材に、マイナスイオンを発生する砥粒、研磨砥粒、金属砥粒、ダイヤモンド砥粒等の少なくとも１つ、あるいは、前記砥粒が混入されたアルミナ繊維からなるブラシ毛素材に静電気防止剤を混入または付着させることにより、研磨性に優れたアルミナ繊維からなるブラシ毛素材、および研磨ブラシに関するものである。
【背景技術】
【０００３】
従来のブラシは、たとえば、２本の芯線または４本の芯線にブラシ毛素材を挟み込んだ後、ブラシ毛の部分をねじることにより作製されるねじりブラシがある。また、前記ねじりブラシの例は、たわし、歯間ブラシ、マスカラブラシ等がある。また、従来のブラシ毛素材には、消臭、殺菌、人体に対する影響を考慮したものがなかった。
【０００４】
たとえば、特開２００３−１８１７６９号公報に記載されている研磨材は、合成樹脂部材のブラシ素材に、ダイヤモンド砥粒、研磨砥粒、金属砥粒等の１種類または２種類以上が混入されている。特開２００３−１２７０６７号公報に記載されている研磨処理具は、研磨素材が繊維、皮、ゴム、合成樹脂、または金属であり、その表面にダイヤモンド砥粒、金属砥粒、研磨砥粒、ガラス砥粒の１種類または２種類以上が形成されている。
【０００５】
【特許文献１】特開２００３−１８１７６９号公報
【特許文献２】特開２００３−１２７０６７号公報
【発明の開示】
【発明が解決しようとする課題】
【０００６】
前記従来の研磨ブラシは、研削または研磨、あるいはバリ取り等の作業性のみを考慮して、研削または研磨等の作業環境や作業者の健康を考えて作製されたものが無かった。
【０００７】
以上のような課題を解決するために、本発明は、アルミナ繊維からなるブラシ毛に研磨砥粒、金属砥粒、ダイヤモンド砥粒、マイナスイオンを発生する部材からなる砥粒を少なくとも１種類混入することにより作製されるブラシ毛素材および研磨ブラシを提供することを目的とする。
【０００８】
本発明は、アルミナ繊維からなるブラシ毛にマイナスイオンを発生する部材からなる砥粒、あるいは、静電気防止剤等を混入した場合、消臭および殺菌効果、あるいは人体に対する影響を考慮したブラシ毛素材および研磨ブラシを提供することを目的とする。
【課題を解決するための手段】
【０００９】
（第１発明）
第１発明のブラシ毛素材は、研磨砥粒、ダイヤモンド砥粒、金属砥粒の中の少なくとも１種類が混入されているアルミナ繊維からなるブラシ毛を束ねて構成されていることを特徴とする。
【００１０】
（第２発明）
第２発明のブラシ毛素材は、マイナスイオンを発生する部材からなる砥粒と、研磨砥粒、ダイヤモンド砥粒、金属砥粒の中の少なくとも１種類とが混入されているアルミナ繊維からなるブラシ毛を束ねて構成されていることを特徴とする。
【００１１】
（第３発明）
第３発明のブラシ毛素材において、アルミナ繊維からなるブラシ毛の先端部には、マイナスイオンを発生する部材からなる砥粒、研磨砥粒、ダイヤモンド砥粒、金属砥粒の中の少なくとも１種類が混入されている球状、テーパー状、先割れ状、三角形状、四角形状、六角形状、八角形状、楕円形状等の１つが成形されていることを特徴とする。
【００１２】
（第４発明）
第４発明のブラシ毛素材において、アルミナ繊維からなるブラシ毛の断面は、円形状、楕円形状、十字状、クローバ状、三角形状、四角形状、六角形状、八角形状、多角形状等の１つからなることを特徴とする。
【００１３】
（第５発明）
第５発明のブラシ毛素材において、アルミナ繊維からなるブラシ毛は、マイナスイオンを発生する部材からなる砥粒、研磨砥粒、ダイヤモンド砥粒、金属砥粒の中の少なくとも１種類が混入されており、これらの中の同種または異種の少なくとも２本により編まれて１本を構成していることを特徴とする。
【００１４】
（第６発明）
第６発明のブラシ毛素材において、アルミナ繊維からなるブラシ毛は、マイナスイオンを発生する部材からなる砥粒、研磨砥粒、ダイヤモンド砥粒、金属砥粒の中の少なくとも１種類が混入されており、これらの同種または異種の少なくとも２本により編まれて１本を構成し、前記編まれたブラシ毛を複数本束ねたことを特徴とする。
【００１５】
（第７発明）
第７発明のブラシ毛素材において、アルミナ繊維からなるブラシ毛には、合成樹脂部材、金属部材、動物繊維または植物繊維からなるブラシ毛の少なくとも１種類が混毛されていることを特徴とする。
【００１６】
（第８発明）
第８発明のブラシ毛素材において、アルミナ繊維からなるブラシ毛は、複数本がバインダーによって固められていることを特徴とする。
【００１７】
（第９発明）
第９発明のブラシ毛素材は、研磨砥粒、金属砥粒、ダイヤモンド砥粒、およびマイナスイオンを発生する部材からなる砥粒の中に静電気防止剤が混入されていることを特徴とする。
【００１８】
（第１０発明）
第１０発明の研磨ブラシは、第１発明ないし第９発明に記載されたアルミナ繊維からなるブラシ毛素材を用いてチャネル型、植え込み型、ロール型、コイル型、カップ型、ねじり型、筒型、傘型、ホイール型、ディスク型の１つに成形されていることを特徴とする。
【００１９】
（第１１発明）
第１１発明の研磨ブラシは、第１発明ないし第１０発明に記載されたアルミナ繊維からなるブラシ毛素材をバインダーによって固めることにより、板状、フィルム状、シート状、ディスク状、パイプ状の１つに成形されていることを特徴とする。
【発明の効果】
【００２０】
本発明によれば、アルミナ繊維からなるブラシ毛素材にマイナスイオンを発生する砥粒、あるいは、静電気防止剤等が他の研磨砥粒の少なくとも１種類とともに混入されることにより、研削または研磨等の作業環境や作業者の健康を考慮したブラシ毛素材または研磨ブラシを提供することができる。
【００２１】
本発明によれば、アルミナ繊維からなるブラシ毛素材の全部または１部の周りにマイナスイオンを発生する希土類を含む鉱石、フェライト、麦飯石等の砥粒が他の研磨砥粒の少なくとも１種類とともに混入されることにより、研削または研磨等の作業環境や作業者の健康を考慮するだけでなく、消臭および／または殺菌効果、あるいは人体に対して良い影響を与えるブラシ毛素材または研磨ブラシを提供することができる。
【発明を実施するための最良の形態】
【００２２】
（第１発明）
第１発明のブラシ毛素材は、アルミナ繊維（酸化アルミニウムを主成分とする繊維であり、単結晶質または多結晶質とがあり、それぞれに短繊維または長繊維とがある。ＪＩＳ工業用語大辞典参照）に研磨砥粒、ダイヤモンド砥粒、金属砥粒の中の少なくとも１種類を混入させ、たとえば、数本から数千本束ね、バインダーによって固められている。
【００２３】
前記砥粒を混入させた繊維は、数本から数千本まとめバインダーで固め１本の線材にしたり、この繊維を数本から数千本まとめ砂糖の蔗糖を水に溶かし、その繊維に塗布し、高温でホットプレス加工した。
【００２４】
前記研磨砥粒は、たとえば、シリコンカーバイト、セラミックス、ジルコニア、ボロンカーバイト、酸化セリウム、硬質ガラス、水晶等である。また、前記金属砥粒は、金、銀、銅、燐青銅、鉄、ステンレス、ピアノ線、チタン、ニッケル、アルミニウム合金、マグネシウム、カーボンナノワイヤー、キュービックボロンナイトライト、シリコンカーバイト、ジルコニア、酸化クロム等の砥粒である。さらに、ダイヤモンドは、天然および人工のものを含む。天然石またはセラミックスは、ガーネット、エメリー、硬質ガラス等の砥粒である。
【００２５】
（第２発明）
第２発明のブラシ毛素材は、第１発明の砥粒にマイナスイオンを発生する部材が必要に応じて追加される。すなわち、第２発明のアルミナ繊維からなるブラシ毛の中に混入するマイナスイオンを発生する部材は、たとえば、サマリウム、ネオジウム、アルニコ、フェライト、トルマリン、麦飯石がある。
【００２６】
前記アルミナ繊維からなるブラシ毛には、前記マイナスイオンを発生する部材を含む砥粒が少なくとも１種類で、その混入量が１％ないし８０％、好ましくは、５％ないし３０％である。前記ブラシ毛に対する砥粒の混入量の比率は、１％より少ないと研磨用ブラシとならず、８０％以上であると、ブラシ毛としての成形ができなかったり、あるいは使用に耐えられない。前記ブラシ毛は、その太さや長さによっても、砥粒の混入量が決められる。
【００２７】
前記ブラシ毛素材または前記ブラシ毛によって作製された研磨用ブラシは、砥粒の大きさおよび混入量を変えることで、使用目的に適ったものが任意に得られるだけでなく、マイナスイオンを発生する部材等が入っているため、消臭または殺菌効果があるだけでなく、人体の健康によい影響を与えることができる。
【００２８】
（第３発明）
第３発明のアルミナ繊維からなるブラシ毛の先端部には、球状、テーパー状、先割れ状、三角形状、四角形状、六角形状、八角形状、楕円形状の１つが成形されている。また、前記先端部には、マイナスイオンを発生する部材からなる砥粒、研磨砥粒、ダイヤモンド砥粒、金属砥粒の中の少なくとも１種類が混入されている。
【００２９】
（第４発明）
第４発明のアルミナ繊維からなるブラシ毛の断面は、円形状、楕円形状、十字状、クローバ状、三角形状、四角形状、六角形状、八角形状、多角形状の１つからなる。第３発明および第４発明は、被研磨部材の形状に合ったブラシ毛素材となり、これらの形状に合った研磨またはバリ取りが可能になる。
【００３０】
（第５発明）
第５発明のアルミナ繊維からなるブラシ毛は、編まれて１本のブラシ毛素材となっている。前記ブラシ毛の編み方は、公知または周知のものがある。また、前記ブラシ毛は、マイナスイオンを発生する部材からなる砥粒、研磨砥粒、ダイヤモンド砥粒、金属砥粒の中の少なくとも１種類が混入されている。
【００３１】
（第６発明）
第６発明のアルミナ繊維からなるブラシ毛は、編まれた１本が複数本、たとえば、数本から数千本、束ねられてブラシ毛素材を構成している。前記ブラシ毛素材は、マイナスイオンを発生する部材からなる砥粒、研磨砥粒、ダイヤモンド砥粒、金属砥粒の中の少なくとも１種類が混入されており、これらの少なくとも１種類が編まれて１本を構成し、前記編まれたブラシ毛が複数本束ねられる。
【００３２】
（第７発明）
第７発明のアルミナ繊維からなるブラシ毛には、合成樹脂部材、金属部材、動物繊維、または植物繊維からなるブラシ毛の少なくとも１種類が混毛されているため、ブラシ毛素材の柔らかさ、あるいは硬さを変えることができる。また、前記柔らかさまたは硬さは、前記合成樹脂部材、金属部材、動物繊維、または植物繊維の混毛量で調整することができる。
【００３３】
（第８発明）
第８発明のアルミナ繊維からなるブラシ毛素材は、複数本のブラシ毛がバインダーによって固められている。前記バインダーは、たとえば、エポキシ樹脂系接着剤、あるいは、ブラシ毛素材や混入する砥粒の種類により公知の接着剤から任意のものが選択される。
【００３４】
（第９発明）
第９発明のアルミナ繊維からなるブラシ毛素材は、前記ブラシ毛素材に混入される研磨砥粒、金属砥粒、ダイヤモンド砥粒、およびマイナスイオン発生部材からなる砥粒の中に静電気防止剤が混入されている。前記静電気防止剤は、研磨中に発生する静電気を少なくすることができ、安全な研磨作業またはバリ取り作業ができる。
【００３５】
（第１０発明）
第１０発明の研磨ブラシは、ブラシ毛素材を束ねて、その形状をチャネル型、植え込み型、ロール型、コイル型、カップ型、ねじり型、筒型、傘型、ホイール型、ディスク型とすることができる。前記形状は、被研磨部材の形状に合ったものを選択することができる。
【００３６】
（第１１発明）
第１１発明の研磨ブラシは、ブラシ毛素材をバインダーで固めて板状、フィルム状、シート状、ディスク状、パイプ状の１つに成形される。前記研磨ブラシは、サンダー、サンダーベルト、サンダーバンド、ヤスリ等に適している。
【実施例１】
【００３７】
図１（イ）ないし（ホ）は本発明の第一実施例で、アルミナ繊維からなるブラシ毛の中に各種砥粒が混入されているとともに、複数本が束ねられた状態を説明するための図である。図１（イ）において、アルミナ繊維からなるブラシ毛１１１には、ダイヤモンド砥粒１１２が混入されている。また、ブラシ毛素材１１は、前記アルミナ繊維からなるブラシ毛１１１が複数本束ねられ、たとえば、図示されていない、バインダー等によって固着されている。前記バインダーは、公知または周知の接着剤等を採用することができる。
【００３８】
前記アルミナ繊維からなるブラシ毛１１１は、高い温度における使用、あるいは電気絶縁が問題になる場所での使用に適している。
【００３９】
図１（ロ）において、アルミナ繊維からなるブラシ毛１２１は、金属砥粒１２２が混入されており、これらが複数本束ねられてブラシ毛素材１２となっている。また、図１（ハ）において、アルミナ繊維からなるブラシ毛１３１は、ダイヤモンド砥粒１１２、および金属砥粒１２２の内の１種または複数種が混入されており、これらが複数本束ねられてブラシ毛素材１３となっている。
【００４０】
図１（ニ）において、アルミナ繊維からなるブラシ毛素材１４は、前記以外の研磨素材の少なくとも１種類、あるいは、マイナスイオンを発生する砥粒、さらに、静電気防止剤等を混入させることができる。前記ブラシ毛１１１、１２１、１３１、ブラシ毛素材１１ないし１４の断面は、たとえば、図１（ホ）に示されている形状等にすることができる。
【００４１】
前記マイナスイオンを発生する砥粒の基になる物質は、たとえば、サマリウム、ネオジウム、アルニコ、フェライト、トルマリン、麦飯石等がある。
【００４２】
また、前記アルミナ繊維からなるブラシ毛素材１１には、前記マイナスイオンを発生する砥粒以外に、たとえば、シリコンカーバイト、アルミナ、セラミックス、ジルコニア、ボロンカーバイト、酸化セリウム、硬質ガラス、水晶等の研磨部材、金、銀、銅、燐青銅、鉄、ステンレス、ピアノ線、チタン、ニッケル、アルミニウム合金、マグネシウム、カーボンナノワイヤー、キュービックボロンナイトライト、シリコンカーバイト、ジルコニア、酸化クロム等の金属砥粒、さらに、天然または人工のダイヤモンド砥粒、天然石またはセラミックス、ガーネット、エメリー、硬質ガラス等の砥粒の１種または複数種が混入される。
【００４３】
また、前記アルミナ繊維からなるブラシ毛は、合成樹脂部材からなるブラシ毛を入れることもできる。前記合成樹脂部材は、たとえば、ポリアミド系合成高分子化合物、ポリエステル、ポリイミド、ポリモンド、ポリプロピレン、ポリスチン、ポリカーボネート、コーネクス、カーボンナノ繊維、ポリ塩化ビニル、ポリブチレン、ポリアート、ポリビニルグチラール、ボロンポリマー、コーネックス、ピーク、形状記憶樹脂素材、導伝性樹脂素材、自己修復樹脂素材、バイオ樹脂素材、再生樹脂素材等がある。
【実施例２】
【００４４】
図２（イ）ないし（ニ）は本発明の第二実施例で、アルミナ繊維からなるブラシ毛の先端部の形状に係る発明である。図２（ロ）において、アルミナ繊維からなるブラシ毛は、その先端部２１がテーパー状に成形されている。図２（ハ）において、アルミナ繊維からなるブラシ毛は、その先端部２２が球状に成形されている。図２（ニ）において、アルミナ繊維からなるブラシ毛は、その先端部２３が先割れ状に成形されている。
【００４５】
そして、前記アルミナ繊維からなるブラシ毛は、複数本が束ねられて、図示されていない、バインダーによって接着され、図２（イ）に示されたブラシ毛素材１５となっている。
【００４６】
前記アルミナ繊維からなるブラシ毛には、たとえば、マイナスイオンを発生する部材からなる砥粒、研磨砥粒、ダイヤモンド砥粒等の少なくとも１種類が混入されている。前記アルミナ繊維からなるブラシ毛は、前記球状の代わりにその他の多角形状とすることもできる。
【００４７】
図３（イ）はブラシ毛を束ねてブラシ毛素材とした例で、（ロ）は前記ブラシ毛の拡大図で、（ハ）は１本のブラシ毛に異なる性質の砥粒が混入されている例で、（ニ）は前記ブラシ毛の拡大図である。
【実施例３】
【００４８】
図４（イ）ないし（ホ）は本発明の第三実施例であり、アルミナ繊維からなるブラシ毛素材を２本以上で編んだ例を説明するための図である。図４（イ）において、少なくとも２本のアルミナ繊維からなるブラシ毛素材４１は、それぞれが編み込まれ、または組み込まれている。前記アルミナ繊維からなるブラシ毛素材４１は、第一実施例および第二実施例の物と同じである。また、前記ブラシ毛素材４１の編み方および本数は、異なるものであり、これらに、特に、限定されるものではない。
【００４９】
図４（ロ）において、芯材４２の周囲は、編み込まれたアルミナ繊維からなるブラシ毛素材４２１によって覆われている。図４（ハ）において、複数の芯材４３の周囲は、アルミナ繊維からなるブラシ毛素材４１によって巻き付けられている。図４（ニ）において、編み込まれたブラシ毛素材４１は、その周囲に被覆部材４４が施されている。
【００５０】
図４（ホ）において、たとえば、図４（ニ）に示された複数の芯材４５には、アルミナ繊維からなるブラシ毛素材４５１によって束ねられている。図に示されたブラシ毛素材は、さらに、複数が組み込まれて研磨用ブラシになる。
【実施例４】
【００５１】
図５（イ）ないし（ヌ）は本発明の第四実施例であり、アルミナ繊維からなるブラシ毛素材を並べまたは束ねた研磨用ブラシを説明するための図である。図５（イ）において、複数本のアルミナ繊維からなるブラシ毛素材５１は、所定の幅で直線状に並べられ、これらの根本部分を取り付け部材５１１によって、挟持するように取り付けられている。
【００５２】
図５（ロ）において、複数本のアルミナ繊維からなるブラシ毛素材５１は、放射状になるように円盤取り付け部材５１２に取り付けられて、ディスク状に形成されている。図５（ハ）において、複数本のアルミナ繊維からなるブラシ毛素材５１は、木製または合成樹脂製からなる取り付け軸５１３に植設されて円筒形に成形されている。
【００５３】
図５（ニ）において、複数本のアルミナ繊維からなるブラシ毛素材５１は、円盤５１４にほぼ垂直に植設されている。そして、前記円盤５１４の中心には、前記ブラシ毛素材５１の反対側に回転軸５１５が設けられている。図５（ホ）において、複数本のアルミナ繊維からなるブラシ毛素材５１は、円筒状に成形された研磨用ブラシが示されている。
【００５４】
図５（ヘ）において、複数本のアルミナ繊維からなるブラシ毛素材５１は、円盤状部材に放射状に取り付けられている。
【００５５】
図５（ト）において、複数のアルミナ繊維からなるブラシ毛素材５１は、撚られ、前記撚られた部分の先端部を巻回することによって形成された巻回部５５１となっている。前記巻回部５５１は、円筒状部材の内部を研磨するのに都合が良い。
【００５６】
図５（チ）において、多数のアルミナ繊維からなるブラシ毛素材５１は、根本部分が取り付け部材５５２に取り付けられている。図５（リ）において、多数のアルミナ繊維からなるブラシ毛素材５１は、その根本の部分で取り付け部材５５３に束ねられている。前記取り付け部材５５３の１端には、軸５５４が設けられている。また、前記アルミナ繊維からなるブラシ毛素材５１は、ほぼ球形に成形されている。
【００５７】
図５（ヌ）において、複数のアルミナ繊維からなるブラシ毛素材５１は、二股に分けられて取り付け部材５５５に取り付けられている。前記取り付け部材５５５は、根本に軸５５６が取り付けられている。
【実施例５】
【００５８】
図６（イ）ないし（ヲ）は本発明の第五実施例であり、アルミナ繊維に各種砥粒を混入して成形した研磨素材を説明するための図である。図６（イ）において、アルミナ繊維を主成分とする部材は、研磨砥粒の少なくとも１種類が混入された後、円筒６１に成形されている。
【００５９】
図６（ロ）において、アルミナ繊維を主成分とする部材は、研磨砥粒の少なくとも１種類が混入されて球状６２として成形されている。図６（ハ）において、アルミナ繊維を主成分とする部材は、研磨砥粒の少なくとも１種類が混入されて矩形状の板状部材６３として成形される。図６（ニ）において、アルミナ繊維を主成分とする部材は、研磨砥粒の少なくとも１種類が混入されてシート状部材６４として成形される。
【００６０】
図６（ホ）において、アルミナ繊維を主成分とする部材は、たとえば、ダイヤモンド砥粒１１２および金属砥粒１２２の少なくも１種類が混入されて球状として成形されている。また、図６（ヘ）において、アルミナ繊維を主成分とする部材は、ダイヤモンド砥粒１１２と金属砥粒１２２とが半分ずつ領域を分けて混入されている。
【００６１】
図６（ト）において、アルミナ繊維を主成分とする部材６３は、ダイヤモンド砥粒１１２が混入されて板状部材として成形されている。また、アルミナ繊維を主成分とする部材６３′は、金属砥粒１２２が混入されて板状部材として成形されている。さらに、前記板状部材６３、６３′は、積層状に接着されて１つの研磨素材となっている。
【００６２】
図６（チ）において、アルミナ繊維を主成分とする部材６５は、ダイヤモンド砥粒１１２および金属砥粒１２２が混入されて板状として成形されている。図６（リ）において、アルミナ繊維を主成分とする部材６６、６７、６８は、それぞれにダイヤモンド砥粒１１２、金属砥粒１２２、研磨砥粒１３１が混入されており、三角形が接着されて１つの研磨素材となっている。
【００６３】
図６（ヌ）において、アルミナ繊維を主成分とする部材６９は、円筒状に成形されており、ダイヤモンド砥粒１１２、金属砥粒１２２、および研磨砥粒１３１の少なくとも１種類が混入されている。
【００６４】
図６（ル）において、アルミナ繊維を主成分とする部材７０は、ダイヤモンド砥粒１１２および金属砥粒１２２の少なくとも１種類が混入されて、先端部がテーパー状に成形されている。図６（ヲ）において、アルミナ繊維を主成分とする部材６３、６５は、ダイヤモンド砥粒１１２、金属砥粒１２２の１種類または２種類が混入されて板状に成形したものを長手方向に接続して１つの研磨素材としている。
【実施例６】
【００６５】
図７（イ）ないし（ハ）は本発明の第六実施例であり、アルミナ繊維に各種砥粒を混入して成形した研磨素材からなる研磨工具を説明するための図である。図７（イ）において、アルミナ繊維を主成分とする円盤状部材７１は、各種砥粒が少なくとも１種類混入されて、研磨素材となっている。図７（ロ）において、アルミナ繊維を主成分とした歯車状部材７２は、各種砥粒の少なくとも１種類が混入されて、その中心に軸７２１が取り付けられた研磨素材となっている。図７（ハ）において、アルミナ繊維を主成分とするリング状部材７３は、各種砥粒の少なくとも１種類が混入されて、サンダーとなっている。
【実施例７】
【００６６】
図８（イ）ないし（チ）は本発明の第七実施例であり、アルミナ繊維に各種砥粒を混入して成形した研磨素材からなる研磨工具を説明するための図である。図８（イ）において、アルミナ繊維を主成分とし、ダイヤモンド砥粒１１２および金属砥粒１２２が混入された板状部材８１１には、各種砥粒の少なくとも１種類が混入され、または被覆されているブラシ毛または棒状部材８１が取り付けられている。
【００６７】
図８（ハ）ないし（ホ）において、前記ブラシ毛または棒状部材８１には、ダイヤモンド砥粒１１２、金属砥粒１２２がそれぞれ、あるいは、前記両者がともに混入されている。図８（ヘ）において、アルミナ繊維を主成分とし、各種砥粒の少なくとも１種類が混入されているフラップホイール８３は、図示のごとく、中央部に回転軸を取り付ける孔とともに成形されている。
【００６８】
図８（ト）において、アルミナ繊維を主成分とし、各種砥粒の少なくとも１種類が混入されている複数のフラップホイール８４は、図示のごとく、中央部に回転軸８４２を取り付けられる円盤８４１が設けられている。前記円盤８４１は、複数の前記フラップホイール８４を取り付けることができる。図８（チ）において、アルミナ繊維を主成分とし、各種砥粒の少なくとも１種類が混入されている歯車状の研磨工具８５は、図示のごとく、成形されている。
【実施例８】
【００６９】
図９（イ）ないし（ニ）は本発明の第八実施例であり、アルミナ繊維に各種砥粒を混入して成形した筒状研磨素材と、これらからなる研磨工具を説明するための図である。図９（イ）において、アルミナ繊維を主成分とし、ダイヤモンド砥粒あるいは、金属砥粒等の少なくとも１種類が混入された筒状部材９１には、孔９１１が形成されている。前記孔９１１には、各種砥粒の少なくとも１種類が混入または被覆されている棒状部材９１２が取り付けられて、研磨素材９２を構成している。
【００７０】
図９（ロ）において、前記棒状部材９１２を中間部から折曲げた研磨素材９２は、取り付け部材９１３に並列に多数取り付けられている。図９（ハ）に示す円盤状研磨素材９２１は、前記棒状部材９１２が放射状に円盤９１４に取り付けられている。図９（ニ）に示す円盤状研磨素材９２２は、（ハ）の変形例で、円盤９１５の形状が異なっている。
【産業上の利用可能性】
【００７１】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明は、前記実施例において示されていない形状であっても、公知または周知の研磨用ブラシに適用できることはいうまでもないことである。また、本発明は、ブラシ、砥粒等の大きさ、形状、材質、および混入比率等を使用目的により任意に選択できることはいうまでもないことである。
【００７２】
本発明のアルミナ繊維を主成分とする研磨素材は、合成樹脂、金属、ダイヤモンド砥粒、金属砥粒、研磨砥粒、マイナスイオンを発生する部材からなる砥粒等を使用目的によって任意の量混入することができる。
【図面の簡単な説明】
【００７３】
【図１】（イ）ないし（ホ）は本発明の第一実施例で、アルミナ繊維からなるブラシ毛の中に各種砥粒が混入されているとともに、複数本が束ねられた状態を説明するための図である。（実施例１）
【図２】（イ）ないし（ニ）は本発明の第二実施例で、アルミナ繊維からなるブラシ毛の先端部の形状に係る発明である。（実施例２）
【図３】（イ）はブラシ毛を束ねてブラシ毛素材とした例で、（ロ）は前記ブラシ毛の拡大図で、（ハ）は１本のブラシ毛に異なる性質の砥粒が混入されている例で、（ニ）は前記ブラシ毛の拡大図である。
【図４】（イ）ないし（ホ）は本発明の第三実施例であり、アルミナ繊維からなるブラシ毛素材を２本以上で編んだ例を説明するための図である。（実施例３）
【図５】（イ）ないし（ヌ）は本発明の第四実施例であり、アルミナ繊維からなるブラシ毛素材を並べまたは束ねた研磨用ブラシを説明するための図である。（実施例４）
【図６】（イ）ないし（ヲ）は本発明の第五実施例であり、アルミナ繊維に各種砥粒を混入して成形した研磨素材を説明するための図である。（実施例５）
【図７】（イ）ないし（ハ）は本発明の第六実施例であり、アルミナ繊維に各種砥粒を混入して成形した研磨素材からなる研磨工具を説明するための図である。（実施例６）
【図８】（イ）ないし（チ）は本発明の第七実施例であり、アルミナ繊維に各種砥粒を混入して成形した研磨素材からなる研磨工具を説明するための図である。（実施例７）
【図９】（イ）ないし（ニ）は本発明の第八実施例であり、アルミナ繊維に各種砥粒を混入して成形した筒状研磨素材と、これらからなる研磨工具を説明するための図である。（実施例８）
【符号の説明】
【００７４】
１１、１２、１３、１４・・・アルミナ繊維からなるブラシ毛素材
１１１、１２１、１３１・・・アルミナ繊維からなるブラシ毛
１１２・・・ダイヤモンド砥粒
１２２・・・金属砥粒
１３１・・・研磨砥粒
２１・・・テーパー状先端部
２２・・・球状先端部
２３・・・先割れ状先端部
４１、４５１・・・編まれたブラシ毛素材
４２、４３、４５・・・芯材
４４・・・被覆部材
５１・・・アルミナ繊維を主成分とするブラシ毛素材
６１・・・アルミナ繊維を主成分とする円筒部材
６２・・・アルミナ繊維を主成分とする球状部材
６３・・・アルミナ繊維を主成分とする板状部材
６４・・・アルミナ繊維を主成分とするシート状部材
【図１】
2005199363.tif 000003
【図２】
2005199363.tif 000004
【図３】
2005199363.tif 000005
【図４】
2005199363.tif 000006
【図５】
2005199363.tif 000007
【図６】
2005199363.tif 000008
【図７】
2005199363.tif 000009
【図８】
2005199363.tif 000010
【図９】
2005199363.tif 000011